(57)【要約】      （修正有）【課題】軸方向の高さを低くすることが可能なステータユニットを提供する。【解決手段】ステータユニット２はステータ２１と配線台２２を有する。ステータは、中心軸を中心とする環状のステータコアと、ステータコアに配置されるインシュレータ２１２と、ステータコアに対して、インシュレータを介して周方向に間隔をあけて配置される複数のコイル２１３と、を有する。配線台は、ステータの軸方向上方に配置され、配線台に配線されるリード線２２１と、リード線の一端に設けられてリード線の延伸方向に沿って延びるとともに軸方向下方に向かって屈曲するＬ字形状の端子２２２と、を有する。さらに、ステータは、コイルの導線２１３ａが配置され、端子を収容する収容部を有し、端子は、導線と接続される接続部を有する。【選択図】図３
2019062583.tif 000002
【特許請求の範囲】
【請求項１】
ステータと配線台を有するステータユニットであって、
前記ステータは、
中心軸を中心とする環状のステータコアと、
前記ステータコアに配置されるインシュレータと、
前記ステータコアに対して、前記インシュレータを介して周方向に間隔をあけて配置される複数のコイルと、
を有し、
前記配線台は、
前記ステータの軸方向上方に配置され、
前記配線台に配線されるリード線と、
前記リード線の一端に設けられて前記リード線の延伸方向に沿って延びるとともに軸方向下方に向かって屈曲するＬ字形状の端子と、
を有し、
前記ステータは、前記コイルの導線が配置され、前記端子を収容する収容部を有し、
前記端子は、前記導線と接続される接続部を有する
ステータユニット。
【請求項２】
前記配線台は、前記接続部が軸方向下方を向く状態で保持するガイド部を有する
請求項１に記載のステータユニット。
【請求項３】
前記端子は、
前記リード線を保持するリード線保持部と、
前記接続部と前記リード線保持部とを繋ぐ基部と、
を有し、
前記配線台は、前記基部を保持する基部保持部を有する
請求項１または請求項２に記載のステータユニット。
【請求項４】
前記端子は、前記リード線を保持するリード線保持部を有し、
前記配線台は、前記リード線保持部の位置に配置されて軸方向に窪んだ凹部を有し、
前記リード線保持部の少なくとも一部は、前記凹部に収容される
請求項１から請求項３のいずれかに記載のステータユニット。
【請求項５】
前記配線台は、前記端子の位置において軸方向に貫通する貫通孔を有し、
前記貫通孔は、
軸方向において前記端子に隣接する端子隣接部と、
軸方向において前記ステータに隣接するステータ隣接部と、
を有する請求項１から請求項４のいずれかに記載のステータユニット。
【請求項６】
前記インシュレータは、軸方向に延びる壁部を有し、
前記端子は、前記壁部の軸方向上端よりも下方で、前記収容部に収容される
請求項１から請求項５のいずれかに記載のステータユニット。
【請求項７】
前記インシュレータは、軸方向に延びる壁部を有し、
前記壁部は、前記収容部の位置よりも前記コイル側に位置する第１壁部を有し、
前記第１壁部は、前記導線が挿入される第１スリットを有する
請求項１から請求項６のいずれかに記載のステータユニット。
【請求項８】
前記壁部は、前記収容部の位置よりも前記コイルから離れた側に位置する第２壁部を有し、
前記第２壁部は、前記導線が挿入される第２スリットを有する
請求項７に記載のステータユニット。
【請求項９】
請求項１から請求項８のいずれかに記載されたステータユニットと、
前記ステータの径方向外側に配置され、上下方向に延びる中心軸を中心として回転するロータと、
を有するモータ。
【請求項１０】
アウターロータ型のモータであって、
前記収容部は、前記ステータの径方向の外周部に位置する
請求項９に記載のモータ。
【請求項１１】
前記ステータコアは、
中心軸を中心とする環状のコアバックと、
前記コアバックの径方向の外周部から径方向外側に延びて周方向に間隔をあけて配置される複数のティースと、
を有し、
前記収容部は、前記ティースの径方向の外周部に位置し、
前記リード線は、前記端子を収容する前記収容部、周方向に隣り合う前記コイルの間、前記コアバック、周方向に隣り合う前記コイルの間、前記ティースの径方向の外周部の順に配線されて、前記ステータの外部に向かって延びる
請求項９または請求項１０に記載のモータ。
【請求項１２】
アウターロータ型のモータのステータユニットの製造方法であって、
ステータのティースに、導線を巻き付けてコイルを形成する工程と、
前記コイルを形成した後、前記導線を、前記ステータの径方向の外周部に位置する収容部の内部に通すとともに、前記収容部の径方向外側に設けられたフックに巻き付けて保持する工程と、
リード線の一端に設けられて前記リード線の延伸方向に沿って延びるとともにＬ字形状に屈曲する端子を、前記収容部の内部に収容させることで、前記導線に電気的に接続させる工程と、
前記フックを切断して前記収容部の径方向の外周面を面一にする工程と、
を含むステータユニットの製造方法。
【発明の詳細な説明】
【技術分野】
【０００１】
本発明は、ステータユニット、モータ及びステータユニットの製造方法に関する。
【背景技術】
【０００２】
従来、励磁コイルを有する環状のステータの径方向外側または径方向内側に、マグネット及びシャフトを有するロータを配置したモータが広く知られている。そして、ステータのコイルに電力を供給するためのリード線を配線した配線台を、ステータの軸方向の一端側に配置し、ステータユニットを構成することがある。ステータユニットに係る従来技術が特許文献１に開示されている。
【０００３】
特許文献１に記載された従来の電動機は、固定子鉄心の上面に配置され、口出線（リード線）を有する端子板（配線台）を有する。端子板は、口出線に電気的に接続される複数の口出線側接続部材を有する。複数の口出線側接続部材はそれぞれ、固定子鉄心の巻線端末が電気的に接続される複数の固定子側接続部材の位置に合わせて配置される。口出線側接続部材は、口出線に接続される接続部と、固定子側接続部材に挿入される凸部と、を有する。端子板を固定子鉄心の上面に配置し、口出線側接続部材を固定子側接続部材に挿入すると、複数箇所において同時に、口出線と巻線端末を電気的に接続することができる。
【先行技術文献】
【特許文献】
【０００４】
【特許文献１】特開２００１−１９７６９９号公報
【発明の概要】
【発明が解決しようとする課題】
【０００５】
しかしながら、特許文献１に記載された従来の電動機の口出線側接続部材は、口出線に接続される接続部から、固定子側接続部材に挿入される凸部まで、ステータの軸方向に直線状に延びる形状である。これにより、モータの軸方向の高さが高くなることに課題があった。モータの小型化を図るにあたって、好適とは言えない構造であった。
【０００６】
本発明は、上記の点に鑑みなされたものであり、ステータユニットの軸方向の高さを低くすることが可能なステータユニット、モータ及びステータユニットの製造方法を提供することを目的とする。
【課題を解決するための手段】
【０００７】
本発明の例示的なステータユニットは、ステータと配線台を有するステータユニットであって、前記ステータは、中心軸を中心とする環状のステータコアと、前記ステータコアに配置されるインシュレータと、前記ステータコアに対して、前記インシュレータを介して周方向に間隔をあけて配置される複数のコイルと、を有し、前記配線台は、前記ステータの軸方向上方に配置され、前記配線台に配線されるリード線と、前記リード線の一端に設けられて前記リード線の延伸方向に沿って延びるとともに軸方向下方に向かって屈曲するＬ字形状の端子と、を有し、前記ステータは、前記コイルの導線が配置され、前記端子を収容する収容部を有し、前記端子は、前記導線と接続される接続部を有する。
【０００８】
本発明の例示的なモータは、上記構成のステータユニットと、前記ステータの径方向外側に配置され、上下方向に延びる中心軸を中心として回転するロータと、を有する。
【０００９】
本発明の例示的なステータユニットの製造方法は、アウターロータ型のモータのステータユニットの製造方法であって、ステータのティースに、導線を巻き付けてコイルを形成する工程と、前記コイルを形成した後、前記導線を、前記ステータの径方向の外周部に位置する収容部の内部に通すとともに、前記収容部の径方向外側に設けられたフックに巻き付けて保持する工程と、リード線の一端に設けられて前記リード線の延伸方向に沿って延びるとともにＬ字形状に屈曲する端子を、前記収容部の内部に収容させることで、前記導線に電気的に接続させる工程と、前記フックを切断して前記収容部の径方向の外周面を面一にする工程と、を含む。
【発明の効果】
【００１０】
本発明の例示的なステータユニット、モータ及びステータユニットの製造方法によれば、ステータユニットの軸方向の高さを低くすることが可能である。
【図面の簡単な説明】
【００１１】
【図１】図１は、本発明の実施形態に係るモータの縦断面図である。
【図２】図２は、本発明の実施形態に係るステータユニットの斜視図である。
【図３】図３は、本発明の実施形態に係るステータユニットの分解斜視図である。
【図４】図４は、ステータユニットの配線台の一部の下方から見た部分斜視図である。
【図５】図５は、配線台の端子の箇所の下方から見た部分斜視図である。
【図６】図６は、端子の斜視図である。
【図７】図７は、配線台の端子保持部の下方から見た斜視図である。
【図８】図８は、配線台の端子保持部の上方から見た斜視図である。
【図９】図９は、ステータの一部の上方から見た部分斜視図である。
【図１０】図１０は、ステータの収容部の上方から見た斜視図である。
【図１１】図１１は、ステータの一部を示す部分側面図である。
【発明を実施するための形態】
【００１２】
以下、本発明の例示的な実施形態について、図面を参照しながら詳細に説明する。本書では、モータの回転軸が延びる方向を単に「軸方向」と呼び、モータの回転軸を中心として回転軸と直交する方向（軸方向に垂直な方向）を単に「径方向」と呼び、モータの回転軸を中心とする円弧に沿う方向を単に「周方向」と呼ぶ。ステータの中心軸、及びステータユニットの中心軸は、モータの回転軸に一致する。すなわち、ステータ及びステータユニットについても、モータに組み込まれた状態においてモータの軸方向、径方向及び周方向に一致する方向を、単に「軸方向」、「径方向」及び「周方向」と呼ぶ。
【００１３】
また、本書では、説明の便宜上、軸方向を上下方向とし、図１の上下方向をステータ、ステータユニット、モータの上下方向として各部の形状や位置関係を説明する。なお、この上下方向の定義がモータの使用時の向きを限定するものではない。また、本書では、軸方向に平行な断面図を「縦断面図」と呼ぶ。また、本書で用いる「平行」、「垂直」は、厳密な意味で平行、垂直を表すものではなく、略平行、略垂直を含む。
【００１４】
＜１．モータの概略構成＞
本発明の例示的な実施形態に係るモータの概略構成について説明する。図１は、本発明の実施形態に係るモータ１の縦断面図である。図２は、本発明の実施形態に係るステータユニット２の斜視図である。図３は、本発明の実施形態に係るステータユニット２の分解斜視図である。図１、図２及び図３に示すように、モータ１は、ステータユニット２と、回転部３と、を有する。モータ１は、アウターロータ型のモータである。
【００１５】
ステータユニット２は、ステータ２１と、配線台２２と、を有する。
【００１６】
ステータ２１は、中心軸Ｃａを中心とする環状である。ステータ２１は、モータ１の電機子である。ステータ２１は、ステータコア２１１と、インシュレータ２１２と、コイル２１３と、を有する。
【００１７】
ステータコア２１１は、中心軸Ｃａを中心とする環状である。ステータコア２１１は、複数枚の磁性鋼板を軸方向に積層して形成される。ステータコア２１１は、コアバック２１１ａと、複数のティース２１１ｂと、を有する。コアバック２１１ａは、中心軸Ｃａを中心とする環状である。複数のティース２１１ｂは、コアバック２１１ａの径方向の外周面から径方向外側に延びる。複数のティース２１１ｂは、周方向に間隔をあけて配置される。
【００１８】
インシュレータ２１２は、ステータコア２１１に配置される。インシュレータ２１２は、ティース２１１ｂの外面を囲んで設けられる。インシュレータ２１２は、ステータコア２１１とコイル２１３との間に配置される。インシュレータ２１２は、例えば、合成樹脂等の絶縁部材で構成される。
【００１９】
また、ステータ２１は、収容部２１２ａを有する。収容部２１２ａは、インシュレータ２１２の径方向の外周部の上部に設けられる。収容部２１２ａは、コイル２１３の導線２１３ａが配置され、後述する端子２２２を収容する。
【００２０】
コイル２１３は、ステータコア２１１に対して、インシュレータ２１２を介して周方向に間隔をあけて配置される。コイル２１３は、インシュレータ２１２を介してティース２１１ｂの外周に導線２１３ａが巻き回されて形成される。
【００２１】
配線台２２は、ステータ２１の軸方向上方に配置される。配線台２２は、中心軸Ｃａを中心とする環状であり、且つ板状である。配線台２２は、リード線２２１と、端子２２２と、を有する。
【００２２】
リード線２２１は、配線台２２に配線される。リード線２２１は、配線台２２の下面側で配線される。リード線２２１の一端には、端子２２２が設けられる。リード線２２１の他端側は、ステータ２１の外部に向かって延び、電力の供給源等に電気的に接続される。
【００２３】
端子２２２は、リード線２２１の一端に設けられる。端子２２２は、配線台２２の径方向の外周部に配置される。端子２２２は、配線台２２をステータ２１に取り付けたときに、ステータ２１の収容部２１２ａに収容され、コイル２１３の導線２１３ａに電気的に接続される。
【００２４】
さらに、配線台２２は、リブ部２２３を有する。リブ部２２３は、コイル２１３と同数が設けられる。複数のリブ部２２３は、周方向に間隔をあけて配置される。リブ部２２３は、配線台２２の軸方向の下面から、軸方向の下方に突出する。リブ部２２３は、軸方向及び径方向に沿って延びる板状である。リブ部２２３は、配線台２２をステータ２１に取り付けたときに、周方向に隣り合う２つのコイル２１３の間の隙間に挿入される。
【００２５】
回転部３は、中心軸Ｃａを中心として回転する。回転部３は、シャフト３１と、ロータ３２と、を有する。
【００２６】
シャフト３１は、中心軸Ｃａに沿って軸方向の上下に延びる。シャフト３１は、モータ１の回転軸である。シャフト３１は、例えばステンレス等の金属で形成される円柱状またはパイプ状である。シャフト３１は、コアバック２１１ａの径方向内側の上下それぞれに設けられた軸受４に挿入されて回転可能に支持される。回転部３は、上下方向に延びるシャフト３１を中心に回転する。
【００２７】
ロータ３２は、ステータ２１の径方向外側に配置され、上下方向に延びる中心軸Ｃａを中心として回転する。ロータ３２は、マグネットホルダ３２１と、マグネット３２２と、を有する。
【００２８】
マグネットホルダ３２１は、軸方向の一端側が開口したカップ状である。マグネットホルダ３２１は、当該開口側からステータユニット２に被せられる。マグネットホルダ３２１は、軸方向の他端側の、径方向の中心部に孔部３２１ａを有する。孔部３２１ａは、マグネットホルダ３２１を軸方向の上下に貫通する。シャフト３１は、例えば、孔部３２１ａに圧入され、マグネットホルダ３２１に固定される。モータ１の駆動時、マグネットホルダ３２１は、シャフト３１とともに回転する。
【００２９】
マグネット３２２は、マグネットホルダ３２１の内周面に固定される。マグネット３２２は、ステータ２１の径方向外側に所定の間隔を設けて配置される。マグネット３２２は、例えば単一の永久磁石である。マグネット３２２の径方向内側の面には、Ｎ極とＳ極とが周方向に交互に着磁される。単一のマグネットに代えて、Ｎ極またはＳ極のいずれかが着磁された複数のマグネットを用いても良い。
【００３０】
モータ１においては、リード線２２１を介してコイル２１３に電力が供給されることにより、ティース２１１ｂに径方向の磁束が発生する。この磁束によって形成される磁界と、マグネット３２２によって形成される磁界とが作用し、ロータ３２の周方向にトルクが発生する。このトルクによって、回転部３が、中心軸Ｃａを中心として回転する。コイル２１３への電力供給が停止されると、回転部３の回転は停止される。
【００３１】
＜２．ステータユニットの詳細＞
＜２−１．配線台の詳細＞
図４は、ステータユニット２の配線台２２の一部の下方から見た部分斜視図である。図５は、配線台２２の端子２２２の箇所の下方から見た部分斜視図である。図４及び図５に示すように、配線台２２は、前述のリード線２２１、端子２２２及びリブ部２２３に加えて、コイル孔２２４と、引出孔２２５と、端子保持部２２６と、を有する。
【００３２】
コイル孔２２４は、複数のコイル２１３の位置に合わせて、周方向に間隔をあけて配置される。コイル孔２２４は、上方から軸方向に沿って見たコイル２１３の形状と同様に、矩形で構成される。コイル孔２２４は、配線台２２を軸方向の上下に貫通する。コイル孔２２４には、コイル２１３の上側の一部が挿入される。
【００３３】
引出孔２２５は、配線台２２の径方向の外周部に設けられる。引出孔２２５は、配線台２２を軸方向の上下に貫通する。引出孔２２５には、配線台２２の下面側で配線されたリード線２２１が、軸方向の上方に向けて挿入される。リード線２２１は、引出孔２２５を通って、ステータ２１の外部に向かって延びる。
【００３４】
端子保持部２２６は、配線台２２の径方向の外縁部に設けられる。端子保持部２２６は、コイル孔２２４の径方向外側に配置される。端子保持部２２６は、端子２２２を保持する。端子保持部２２６に保持された端子２２２と、リード線２２１の端部とは、配線台２２の周方向に沿って延びる状態で保持される。端子保持部２２６の詳細は後述する。
【００３５】
＜２−２．端子の詳細＞
図６は、端子２２２の斜視図である。図５及び図６に示すように、端子２２２は、リード線２２１の延伸方向に沿って延びるとともに軸方向下方に向かって屈曲するＬ字形状である。リード線２２１の端子２２２がＬ字形状であるので、ステータユニット２の軸方向の高さを低くすることができる。さらに、モータ１の軸方向の高さを低くすることができる。
【００３６】
端子２２２は、接続部２２２ａと、リード線保持部２２２ｂと、基部２２２ｃと、を有する。
【００３７】
接続部２２２ａは、リード線２２１の延伸方向の先端側に配置される。接続部２２２ａは、コイル２１３の導線２１３ａと接続される。接続部２２２ａは、その基部２２２ｃ側に設けられた屈曲部２２２ｄにおいて、基部２２２ｃに対して軸方向下方に向かって屈曲する。接続部２２２ａは、全体が板状であり、平面部２２２ｅと、Ｕ字状部２２２ｆと、溝部２２２ｇと、を有する。
【００３８】
平面部２２２ｅは、２箇所に設けられる。２箇所の平面部２２２ｅは、Ｕ字状部２２２ｆで連結され、リード線２２１の延伸方向に間隔をあけて平行である。平面部２２２ｅは、リード線２２１の延伸方向と交差する方向（配線台２２の径方向）、且つ軸方向に沿って延びる。Ｕ字状部２２２ｆは、接続部２２２ａの軸方向の下端に位置する。溝部２２２ｇは、接続部２２２ａの軸方向の下端から、Ｕ字状部２２２ｆ及び平面部２２２ｅにおいて、上方に向かって所定長さで窪む。２箇所の平面部２２２ｅにおいて、溝部２２２ｇは、リード線２２１の延伸方向に沿って並ぶ。溝部２２２ｇは、配線台２２をステータ２１に取り付けたときに、コイル２１３の導線２１３ａが挿入され、電気的に接続される。これにより、接続部２２２ａは、コイル２１３の導線２１３ａと接続される。
【００３９】
リード線保持部２２２ｂは、接続部２２２ａとは反対側の、端子２２２の一端側に配置される。リード線保持部２２２ｂは、環状形状であり、リード線２２１の外周を覆う。リード線保持部２２２ｂは、リード線２２１を保持する。より具体的には、リード線保持部２２２ｂは、リード線２２１内の導線（図示略）の被覆部２２１ａをかしめて保持する。
【００４０】
基部２２２ｃは、接続部２２２ａと、リード線保持部２２２ｂと、の間に配置される。基部２２２ｃは、接続部２２２ａとリード線保持部２２２ｂとを繋ぐ。さらに、基部２２２ｃは、リード線２２１内の導線をかしめて保持する。
【００４１】
＜２−３．端子保持部の詳細＞
図７は、配線台２２の端子保持部２２６の下方から見た斜視図である。図８は、配線台２２の端子保持部２２６の上方から見た斜視図である。なお、図７は、端子保持部２２６のみを示す。一方、図８は、リード線２２１を配線した配線台２２をステータ２１に取り付けた状態の端子保持部２２６を示す。
【００４２】
図５、図７及び図８に示すように、配線台２２は、ガイド部２２６ａと、凹部２２６ｂと、基部保持部２２６ｃと、貫通孔２２６ｄと、を有する。より具体的には、本実施形態では、配線台２２は端子保持部２２６を有し、端子保持部２２６は、ガイド部２２６ａと、凹部２２６ｂと、基部保持部２２６ｃと、貫通孔２２６ｄと、を有する。端子保持部２２６は、端子２２２を保持する。
【００４３】
ガイド部２２６ａは、端子保持部２２６の周方向の一端側に配置される。ガイド部２２６ａは、３箇所に設けられる。３箇所のガイド部２２６ａは、端子保持部２２６に保持された端子２２２の接続部２２２ａに対して、周方向の両外側に配置される。ガイド部２２６ａの１つは、接続部２２２ａに対して、リード線２２１の延伸方向の先端側に配置され、周方向外側から接続部２２２ａの平面部２２２ｅに接触する。ガイド部２２６ａの残る２つは、端子２２２の屈曲部２２２ｄの径方向外側及び径方向内側に配置され、互いの間に屈曲部２２２ｄを挟むとともにリード線２２１側から接続部２２２ａの平面部２２２ｅに接触する。
【００４４】
上記の構成により、ガイド部２２６ａは、接続部２２２ａが軸方向下方を向く状態で保持する。すなわち、端子２２２の接続部２２２ａを、コイル２１３の導線２１３ａの方向を向かせることができる。したがって、配線台２２をステータ２１に取り付けるときに、端子２２２とコイル２１３の導線２１３ａとを容易に接続することが可能である。
【００４５】
凹部２２６ｂは、ガイド部２２６ａとは反対側の、端子保持部２２６の周方向の一端側に配置される。凹部２２６ｂは、リード線保持部２２２ｂの位置に配置されて軸方向に窪む。凹部２２６ｂは、配線台２２の径方向の外縁部において、配線台２２の下面から上方に向かって窪む。リード線保持部２２２ｂの少なくとも一部は、凹部２２６ｂに収容される。凹部２２６ｂは、リード線保持部２２２ｂの軸方向の上側の一部を収容する。これにより、リード線２２１の径よりも大きいリード線保持部２２２ｂの一部を凹部２２６ｂに収容することができる。したがって、ステータユニット２の軸方向の高さを低くすることが可能である。
【００４６】
基部保持部２２６ｃは、ガイド部２２６ａと、凹部２２６ｂと、の間に配置される。基部保持部２２６ｃは、端子保持部２２６に保持された端子２２２の基部２２２ｃの、軸方向の下側に配置される。基部保持部２２６ｃは、径方向内側から径方向外側に、基部２２２ｃに向かって突出する凸部である。基部保持部２２６ｃは、基部２２２ｃを保持する。これにより、リード線２２１が軸方向下方に向かって垂れることを防止することが可能である。
【００４７】
貫通孔２２６ｄは、ガイド部２２６ａに隣接して配置される。貫通孔２２６ｄは、端子２２２の位置において軸方向に、配線台２２を貫通する。貫通孔２２６ｄは、例えば軸方向から見てＬ字形状である。貫通孔２２６ｄは、端子隣接部２２６ｅと、ステータ隣接部２２６ｆと、を有する。
【００４８】
リード線２２１を配線した配線台２２をステータ２１に取り付けた状態で、端子隣接部２２６ｅは、軸方向において端子２２２に隣接する。リード線２２１を配線した配線台２２をステータ２１に取り付けた状態で、ステータ隣接部２２６ｆは、軸方向においてステータ２１に隣接する。これにより、配線台２２をステータ２１に取り付けるときに、治具を軸方向に沿って貫通孔２２６ｄに通すことで、端子２２２をコイル２１３の導線２１３ａに向けて押し付けることができる。このとき、治具は、貫通孔２２６ｄの端子隣接部２２６ｅを通して端子２２２を押す。さらに治具は、貫通孔２２６ｄのステータ隣接部２２６ｆを通してステータ２１に接触して止まるので、端子２２２をコイル２１３の導線２１３ａに対する所定位置に配置することができる。すなわち、端子２２２をコイル２１３の導線２１３ａに対して必要以上に押し付けないようにすることが可能である。
【００４９】
＜２−４．収容部の詳細＞
図９は、ステータ２１の一部の上方から見た部分斜視図である。図１０は、ステータ２１の収容部２１２ａの上方から見た斜視図である。図１１は、ステータ２１の一部を示す部分側面図である。図９に示すように、アウターロータ型のモータ１において、収容部２１２ａは、ステータ２１のティース２１１ｂの径方向の外周部に位置する。
【００５０】
例えば、コンプレッサ用のモータの場合、圧縮機構を配置するためのシリンダブロックが、ステータの中心軸付近において下方に向かって膨らむ形状を有することがある。したがって、端子２２２の収容部２１２ａをステータ２１の径方向の外周部に設けることで、シリンダブロックと重ならないように、モータ１の軸方向の高さを低くすることができる。
【００５１】
また、図９に示すように、リード線２２１は、端子２２２が設けられた一端側が収容部２１２ａに収容される。そして、リード線２２１は、端子２２２を収容する収容部２１２ａ、周方向に隣り合うコイル２１３の間、コアバック２１１ａ、周方向に隣り合うコイル２１３の間、ティース２１１ｂの径方向の外周部の順に配線されて、ステータ２１の外部に向かって延びる。
【００５２】
この構成によれば、リード線２２１が複数ある場合、収容部２１２ａから一旦コアバック２１１ａ側に回すことで、複数のリード線２２１を、ティース２１１ｂの径方向の外周部でまとめて、ステータ２１の外部に向かって延ばすことができる。したがって、リード線２２１が、コイル２１３の上方を跨ぐことを回避することができ、ステータユニット２の軸方向の高さを低くすることが可能である。
【００５３】
図９及び図１０に示すように、収容部２１２ａは、ティース２１１ｂの径方向の外周部の上部に位置する。収容部２１２ａは、端子挿入部２１２ｂを有する。端子挿入部２１２ｂは、収容部２１２ａの周方向の中央部に配置される。端子挿入部２１２ｂは、軸方向の下方に向かって窪む凹状である。端子挿入部２１２ｂは、配線台２２をステータ２１に取り付けたときに、端子２２２の接続部２２２ａが挿入される。
【００５４】
インシュレータ２１２は、軸方向に延びる壁部２１２ｃを有する。壁部２１２ｃは、第１壁部２１２ｄと、第２壁部２１２ｅと、を有する。
【００５５】
第１壁部２１２ｄは、収容部２１２ａの位置よりもコイル２１３側に位置する。第２壁部２１２ｅは、収容部２１２ａの位置よりもコイル２１３から離れた側に位置する。第１壁部２１２ｄ及び第２壁部２１２ｅは、ステータ２１の周方向に沿って延びる。端子２２２は、壁部２１２ｃの軸方向上端よりも下方で、収容部２１２ａに収容される。これにより、端子２２２が、インシュレータ２１２の壁部２１２ｃよりも上方に突出することを回避することができ、ステータユニット２の軸方向の高さを低くすることが可能である。
【００５６】
また、第１壁部２１２ｄは、第１スリット２１２ｆを有する。第１スリット２１２ｆは、周方向において端子挿入部２１２ｂと異なる位置に配置される。第１スリット２１２ｆは、第１壁部２１２ｄの上端から下端まで延びる溝状である。第１スリット２１２ｆは、第１壁部２１２ｄを径方向に沿って貫通する。第１スリット２１２ｆは、コイル２１３の導線２１３ａが挿入される。これにより、コイル２１３の導線２１３ａを、端子挿入部２１２ｂの位置まで容易に延ばすことができる。
【００５７】
なお、第１スリット２１２ｆは、収容部２１２ａの空間を隔てて径方向に沿って並べて、第２壁部２１２ｅにも設けられることにしても良い。これにより、導線２１３ａをティース２１１ｂに巻き付けるとき、導線２１３ａを、端子挿入部２１２ｂの位置まで延ばす前に、第１壁部２１２ｄの第１スリット２１２ｆと第２壁部２１２ｅの第１スリット２１２ｆとを跨ぐ状態にして、一時的に保持させることができる。これにより、導線２１３ａをティース２１１ｂに巻き付けるときの作業性を向上させることが可能である。
【００５８】
また、第２壁部２１２ｅは、第２スリット２１２ｇを有する。第２スリット２１２ｇは、周方向において端子挿入部２１２ｂと異なる位置に配置される。第２スリット２１２ｇは、端子挿入部２１２ｂの位置よりも第１スリット２１２ｆから離れた側に位置する。第２スリット２１２ｇは、第２壁部２１２ｅの上端から下端まで延びる溝状である。第２スリット２１２ｇは、第２壁部２１２ｅを径方向に沿って貫通する。第２スリット２１２ｇは、コイル２１３の導線２１３ａが挿入される。これにより、導線２１３ａをティース２１１ｂに巻き付けるとき、導線２１３ａを、端子挿入部２１２ｂの位置まで延ばした後に、第２スリット２１２ｇに一時的に保持させることができる。これにより、導線２１３ａをティース２１１ｂに巻き付けるときの作業性を向上させることが可能である。
【００５９】
また、インシュレータ２１２は、フック２１２ｈを有する。フック２１２ｈは、収容部２１２ａの径方向外側に設けられる。フック２１２ｈは、第２壁部２１２ｅの外周面から、径方向外側に向かって延びるとともに軸方向上方に向かって屈曲するＬ字形状である。
【００６０】
アウターロータ型のモータ１のステータユニット２の製造方法においては、まず、ステータ２１のティース２１１ｂに、導線２１３ａを巻き付けてコイル２１３を形成する工程が実施される。コイル２１３を形成した後、導線２１３ａを、ステータ２１の径方向の外周部に位置する収容部２１２ａの内部に通すとともに、収容部２１２ａの径方向外側に設けられたフック２１２ｈに巻き付けて保持する工程が実施される。このとき、コイル２１３から引き出された導線２１３ａは、第１スリット２１２ｆ、端子挿入部２１２ｂ、第２スリット２１２ｇの順に跨って配線され、フック２１２ｈの位置に至る。次に、リード線２２１の一端に設けられてリード線２２１の延伸方向に沿って延びるとともにＬ字形状に屈曲する端子２２２を、収容部２１２ａの内部に収容させることで、導線２１３ａに電気的に接続させる工程が実施される。次に、フック２１２ｈを切断して収容部２１２ａの径方向の外周面を面一にする工程が実施される。この方法によれば、軸方向の高さが低いステータユニット２を製造することが可能である。
【００６１】
なお、本実施形態では、上記のステータユニット２の製造の最終工程で、フック２１２ｈが切断されることとしたが、説明の便宜上、図２、図３、図９、図１０、図１１では、フック２１２ｈが残る状態を示した。上記のとおり、ステータユニット２が完成した形態では、フック２１２ｈが切断され、収容部２１２ａの径方向の外周面、すなわちステータ２１の径方向の外周面が面一になる。
【００６２】
そして、モータ１は、上記実施形態やその変形例として示したステータ２と、ステータ２の径方向外側に配置され、上下方向に延びる中心軸Ｃａを中心として回転するロータ３２と、を有する。これにより、モータ１の軸方向の高さを低くすることが可能である。
【００６３】
＜３．その他＞
以上、本発明の実施形態につき説明したが、本発明の範囲はこれに限定されるものではなく、発明の主旨を逸脱しない範囲で種々の変更を加えて実施することができる。
【００６４】
例えば、上記実施形態では、端子２２２の収容部２１２ａが、ティース２１１ｂの径方向の外周部に位置することとしたが、収容部２１２ａの配置はこの構成に限定されるわけではない。例えば、収容部２１２ａが、ティース２１１ｂの径方向の内周部に位置することにしても良い。ステータユニット２の径方向の外周側において、特に軸方向の高さを低くしたい場合、収容部２１２ａを、ティース２１１ｂの径方向の内周部に配置することが好ましい。
【産業上の利用可能性】
【００６５】
本発明は、例えばステータユニット、モータにおいて利用可能である。また、本発明のステータユニットに係る構造は、例えば冷蔵庫等に搭載される圧縮機に適用可能である。
【符号の説明】
【００６６】
１・・・モータ、２・・・ステータユニット、３・・・回転部、４・・・軸受、２１・・・ステータ、２２・・・配線台、３１・・・シャフト、３２・・・ロータ、２１１・・・ステータコア、２１１ａ・・・コアバック、２１１ｂ・・・ティース、２１２・・・インシュレータ、２１２ａ・・・収容部、２１２ｂ・・・端子挿入部、２１２ｃ・・・壁部、２１２ｄ・・・第１壁部、２１２ｅ・・・第２壁部、２１２ｆ・・・第１スリット、２１２ｇ・・・第２スリット、２１２ｈ・・・フック、２１３・・・コイル、２１３ａ・・・導線、２２１・・・リード線、２２１ａ・・・被覆部、２２２・・・端子、２２２ａ・・・接続部、２２２ｂ・・・リード線保持部、２２２ｃ・・・基部、２２２ｄ・・・屈曲部、２２２ｅ・・・平面部、２２２ｆ・・・Ｕ字状部、２２２ｇ・・・溝部、２２３・・・リブ部、２２４・・・コイル孔、２２５・・・引出孔、２２６・・・端子保持部、２２６ａ・・・ガイド部、２２６ｂ・・・凹部、２２６ｃ・・・基部保持部、２２６ｄ・・・貫通孔、２２６ｅ・・・端子隣接部、２２６ｆ・・・ステータ隣接部、３２１・・・マグネットホルダ、３２１ａ・・・孔部、３２２・・・マグネット、Ｃａ・・・中心軸
【図１】
2019062583.tif 000003
【図２】
2019062583.tif 000004
【図３】
2019062583.tif 000005
【図４】
2019062583.tif 000006
【図５】
2019062583.tif 000007
【図６】
2019062583.tif 000008
【図７】
2019062583.tif 000009
【図８】
2019062583.tif 000010
【図９】
2019062583.tif 000011
【図１０】
2019062583.tif 000012
【図１１】
2019062583.tif 000013